(57)【要約】【課題】手軽に練習をすることができ、コンパクトに収容できるゴルフ練習用具を提供する。【解決手段】床面に設置される板状の基礎部材２と、基礎部材２の一端部に立設された支持部材３と、一端が支持部材３に取り付けられ、他端が下方に垂れ下がるように支持部材３に吊り下げられた打球受部材５とを備えており、打球受部材５が、一端が支持部材３に取り付けられた軟性素材によって形成されたベースシート６と、ベースシート６の一端部に、ベースシート６の表面に重ね合わせるように配置され、その下端部とベースシート６との間に開口部１０ｈを有する袋状部１０を形成するカバーシート７とからなり、支持部材３と打球受部材５のカバーシート７との間に、打球受部材５の袋状部１０の開口部１０ｈが前方に向かって開いた状態となるように保持する吊り下げひも８が設けられている。【選択図】図１
0003106381.tif 000002
【実用新案登録請求の範囲】
【請求項１】
床面に設置される板状の基礎部材と、
該基礎部材の一端部に立設された支持部材と、
一端が前記支持部材に取り付けられ、他端が下方に垂れ下がるように前記支持部材に吊り下げられた打球受部材とを備えており、
該打球受部材が、
一端が前記支持部材に取り付けられた軟性素材によって形成されたベースシートと、
該ベースシートの一端部に、該ベースシートの表面に重ね合わせるように配置され、その下端部と該ベースシートとの間に開口部を有する袋状部を形成するカバーシートとからなり、
前記支持部材と前記打球受部材のカバーシートとの間に、該打球受部材の袋状部の開口部が前方に向かって開いた状態となるように保持する吊り下げひもが設けられている
ことを特徴とするゴルフ練習用具。
【請求項２】
前記基礎部材が、その一端と他端との間において屈曲可能に設けられている
ことを特徴とする請求項１記載のゴルフ練習用具。
【請求項３】
前記打球受部材のベースシートの他端部が、前記基礎部材の他端部まで延びており、かつ、該基礎部材の他端部に連結されている
ことを特徴とする請求項１または２記載のゴルフ練習用具。
【考案の詳細な説明】
【技術分野】
【０００１】
本考案は、ゴルフ練習用具に関する。
【背景技術】
【０００２】
従来から、室内においてゴルフのショットの練習を行うための用具が多数考案されている（例えば、特許文献１〜３）。これらの練習用具は、練習を行う人を囲むように、または、打球の飛ぶ方向に設置するネットや幕を備えており、このネットや幕によって打球が壁等に当たることを防いでいる。
【０００３】
しかるに、これらの従来例は、室内にネットや幕を張らなければならないため、その準備と後片付けが大変であり、ひまなときに気楽に練習することができないという問題がある。そして、準備などに時間がかかるため練習時間を充分に確保できない。
また、大きなネットや幕を張るためには、十分なスペースが必要であり、少なくとも数畳程度のスペースが必要になるという問題がある。
【０００４】
【特許文献１】特開２００４−６５６２７号
【特許文献２】特開２００２−６５９２５号
【特許文献３】特開２００１−９０７９号
【考案の開示】
【考案が解決しようとする課題】
【０００５】
本考案は上記事情に鑑み、手軽に練習をすることができ、コンパクトに収容できるゴルフ練習用具を提供することを目的とする。
【課題を解決するための手段】
【０００６】
第１考案のゴルフ練習用具は、床面に設置される板状の基礎部材と、該基礎部材の一端部に立設された支持部材と、一端が前記支持部材に取り付けられ、他端が下方に垂れ下がるように前記支持部材に吊り下げられた打球受部材とを備えており、該打球受部材が、一端が前記支持部材に取り付けられた軟性素材によって形成されたベースシートと、該ベースシートの一端部に、該ベースシートの表面に重ね合わせるように配置され、その下端部と該ベースシートとの間に開口部を有する袋状部を形成するカバーシートとからなり、前記支持部材と前記打球受部材のカバーシートとの間に、該打球受部材の袋状部の開口部が前方に向かって開いた状態となるように保持する吊り下げひもが設けられていることを特徴とする。
第２考案のゴルフ練習用具は、第１考案において、前記基礎部材が、その一端と他端との間において屈曲可能に設けられていることを特徴とする。
第３考案のゴルフ練習用具は、第１または第２考案において、前記打球受部材のベースシートの他端部が、前記基礎部材の他端部まで延びており、かつ、該基礎部材の他端部に連結されていることを特徴とする。
【考案の効果】
【０００７】
第１考案によれば、打球受部材が支持部材に吊り下げられており、打球受部材に打球が当たったときに、打球の衝撃を、軟性のベースシートの変形と、支持部材に対する打球受部材の揺動によって吸収させることができるから、打球が打球受部材に当たって跳ね返ることを防ぐことができる。また、袋状部の開口部が前方に向かって開いた状態で保持されているから、その開口部を打球方向の目標とすることができる。しかも、開口部に向かって打球が飛べば、そのボールは開口部から袋状部内に入るので、打球が他の場所に転がっていったりすることを防ぐことができる。
第２考案によれば、基礎部材を折り曲げたり延ばしたりするだけで用具を片付けたり準備したりすることができ、用具を簡単かつ速く準備、片付けすることができる。そして、基礎部材を折り曲げれば、コンパクトに片付けることができる。
第３考案によれば、打球受部材のベースシートの他端部を打球を打つときのマットとして代用できる。しかも、ベースシートの他端部が基礎部材の他端部に連結しておけば、基礎部材を折り曲げることができる構成とした場合において、基礎部材を伸ばせばベースシートの他端部を基礎部材の上面に配置させることができ、用具を簡単かつ速く準備することができる。
【考案を実施するための最良の形態】
【０００８】
つぎに、本考案の実施形態を図面に基づき説明する。
図１は本実施形態のゴルフ練習用具１の概略斜視図である。図２は本実施形態のゴルフ練習用具１の概略側面図である。図３は本実施形態のゴルフ練習用具１の概略正面図である。
図１および図２において符号２は、本実施形態のゴルフ練習用具１の基礎部材を示している。この基礎部材２は、縦長の板状の部材によって形成されており、その面積が畳一枚を縦方向に２等分した程度の広さとなるように形成されている。
この基礎部材２の長手方向の一端部には、門型に形成された支持部材３が立設されている。この支持部材３は、その下端部が、基礎部材２の長手方向の一端部にその幅方向に沿って配設された棒状の固定部材２ｃに固定されている。
【０００９】
また、図１〜図３において、符号５は、布等のように、柔軟性はあるが弾性が小さい軟性素材によって形成された一枚のベースシート６からなる打球受部材を示している。この打球受部材５は、その一端部に、ベースシート６の一端を折り曲げて、その折り曲げた部分（以下、カバーシート７という）を、その下端部７ａとベースシート６の一端部の表面との間が開口部１０ｈとなるように配置して形成された袋状部１０を備えている。そして、袋状部１０は、その側辺はカバーシート７の側端部とベースシート６の側端部を縫合やピン等で固定することによって形成されており、前記開口部１０ｈにおいてのみ外部と連通されている。
【００１０】
図１〜図３に示すように、前記打球受部材５は、その一端におけるベースシート６を折り曲げた部分の両端部が、一対の吊り下げひも４，４によって前記支持部材３の上端部の両端に取り付けられており、ベースシート６の他端が下方に垂れ下がって前記基礎部材２の上面に載るように吊り下げている。そして、カバーシート７の下端部７ａは、前記支持部材３との間に設けられたひも等の吊り下げひも８によって、ベースシート６との間の開口部１０ｈが、前方を向くように吊り上げられている（図１および図３）。
【００１１】
上記のごとき構成であるから、ゴルフの練習を行う者が、前記基礎部材２の他端部（図２では右側端部）の上にゴルフボールを置いて袋状部１０の開口部１０ｈに向かってボールを打てば、ボールを打球受部材５の袋状部１０内にボールを打ち込むことができる。すると、打球受部材５は、そのベースシート６の他端が垂れ下がるように支持部材３に吊り下げられているから、袋状部１０に打球が当たったときに、打球の衝撃を、軟性のベースシート６の変形と、支持部材３に対する打球受部材５の揺動によって吸収させることができる。よって、打球が打球受部材５に当たって跳ね返ることを防ぐことができる。
【００１２】
また、打球受部材５の袋状部１０の開口部１０ｈが、吊り下げひも８によって前方に向かって開いた状態で保持されているから、その開口部１０ｈを打球方向の目標として練習をすることができる。そして、開口部１０ｈに向かって打球が飛べば、そのボールは開口部１０ｈから袋状部１０内に入るので、打球が他の場所に転がっていったりすることを防ぐことができる。
しかも、一対の吊り下げひも４，４の長さを短くしたり長くしたりして調整すれば、ベースシート６が基礎部材２に対してなす角度を変えることができるから、打球受部材５の袋状部１０に当たった打球がベースシート６の上を転がり落ちる方向と速度を調整することができる。すると、ベースシート６の上を転がり落ちるボールが練習者の場所に戻ってくるように調整しておけば、戻ってくるボールをクラブヘッドで止めれば前回ボールを打ったときと同じ姿勢になるから、前回と同じようにボールを打つことができ、繰り返しボールを打つことができる。
さらに、基礎部材２の面積が畳一枚を縦方向に２等分した程度の広さであり、その長さがせいぜい２ｍ程度であり、打球受部材５までの距離が短く開口部１０ｈに打球が入る可能性が高く、打球受部材５の大きさを大きくする必要がないから、ゴルフ練習用具１自体を小さくでき、設置スペースも小さくすることができる。
【００１３】
また、図１〜図３に示すように、前記打球受部材５のベースシート６を、その他端によって前記基礎部材２の他端部を覆うことができるような長さにしておけば、打球受部材５のベースシート６を、打球を打つときのマットとして代用できるので好適である。
【００１４】
また、練習者がベースシート６の上に置いたボールを打つとき、ゴルフクラブのヘッドは同時にベースシート６にも接触し、クラブシャフトを握る手に感触が伝わってくる。すると、基礎部材２とベースシート６との間に基礎部材２とほぼ同じ幅と長さがあり、適度な柔らかさと弾力性のあるマット部材２ｍを挿入しておけば、ボールを打ったときのクラブシャフトを握る手の感触をゴルフコースで手に感じる感触にある程度近づけることができる。
しかも、ベースシート６とゴルフクラブのヘッドが接触しても、その衝撃を適度な柔らかさと弾力性のあるマット部材２ｍによって吸収できるから、騒音や振動が発生することを防ぐことができる。
なお、基礎部材２を、カーペット等の敷物の上に置けば、練習者が立ったときの足裏の感触がよくなることに加えて、ボールを打ったときの衝撃などの吸収性をさらに高めることができるし、ボールを打ったときの衝撃等によって基礎部材２が床面を滑って移動することを防ぐことができ、床などを傷つけることを防ぐことができる。
【００１５】
さらに、基礎部材２を、２枚の板２ａ，２ｂによって形成し、基礎部材２の長手方向の中間部において、板２ｂが支持部材３に向けて折り曲げることができるようにヒンジ２ｈによって連結する構成とすれば、ゴルフ練習用具１を使用しないときには、板２ｂを折り曲げてコンパクトに片付けることができる（図４）。
なお、支持部材３の下端部をボルト３ａ等によって基礎部材２の固定部材２ｃに対して着脱可能としておけば、支持部材３を基礎部材２から取り外すことができる。支持部材３を取り外せば、基礎部材２を完全に折り畳むことができるから、より一層コンパクトに片付けることができる。
【００１６】
そして、打球受部材５の他端部をひも等の連結部材９によって基礎部材２の板２ａに連結しておけば、板２ｂを延ばすだけでベースシート６を伸展させることができるから、ゴルフ練習用具１を簡単かつ速く準備することができる。
ひも等の連結部材９の長さを調整すれば、ベースシート６の傾斜を変えることができるから、打球受部材５の袋状部１０に当たった打球が元の位置に戻ってくるまでの時間が適当な時間となるように調節することができる。すると、戻ってくるまでの時間が短すぎることによりゴルフスイングの練習のフォームが乱れることを防ぐことができる。
よって、ゴルフ練習用具１の準備に手間と時間を掛けなくてすむから、より手軽にゴルフのショットの練習をすることができるし、練習時間も十分に確保することができる。
とくに、図４に示すように、連結部材９を、その一端を基礎部材２の裏面に固定し、その他端を基礎部材２の他端に巻き掛けた後、ベースシート６の他端に連結するようにしておけば、基礎部材２を折り曲げた状態から伸ばすと、ベースシート６の他端が基礎部材２の他端に向かって引っ張られ、ベースシート６が自動的に基礎部材２の他端部上面まで上面に配置されるので好適である。
【図面の簡単な説明】
【００１７】
【図１】本実施形態のゴルフ練習用具１の概略斜視図である。
【図２】本実施形態のゴルフ練習用具１の概略側面図である。
【図３】本実施形態のゴルフ練習用具１の概略正面図である。
【図４】本実施形態のゴルフ練習用具１の基礎部材を屈曲させた状態の説明図である。
【符号の説明】
【００１８】
１        ゴルフ練習用具
２        基礎部材
３        支持部材
４        吊り下げひも
５        打球受部材
６        ベースシート
７        カバーシート
８        吊り下げひも
９        連結部材
１０        袋状部
１０ｈ      開口部
【図１】
0003106381.tif 000003
【図２】
0003106381.tif 000004
【図３】
0003106381.tif 000005
【図４】
0003106381.tif 000006